(57)【要約】【課題】モバイル用の電磁駆動装置において、ベース部材に複雑な配線構造や端子構造を設けること無く、駆動用のコイルと位置センサをベース部材に配備できるようにする。【解決手段】モバイル用電磁駆動装置（レンズ駆動装置）１は、ベース部材２と、ベース部材２に取り付けられる駆動用のコイル４Ａと、マグネット５が取り付けられ、ベース部材２に移動自在に支持される可動部材３と、ベース部材２に設けられ、マグネット５の位置を検出する位置センサ１０とを備え、コイル４Ａは、多層の絶縁層間に巻線を平面配置した平面基板コイル４であり、絶縁層の一部に位置センサ１０が接続される配線１４と端子部１５を備えている。【選択図】図１
2018173581.tif 000002
【特許請求の範囲】
【請求項１】
モバイル機器用の電磁駆動装置であって、
ベース部材と、
該ベース部材に取り付けられる駆動用のコイルと、
マグネットが取り付けられ、前記ベース部材に移動自在に支持される可動部材と、
前記ベース部材に設けられ、前記マグネットの位置を検出する位置センサとを備え、
前記コイルは、多層の絶縁層間に巻線を平面配置した平面基板コイルであり、前記絶縁層の一部に前記位置センサが接続される配線と端子部を備えていることを特徴とするモバイル用電磁駆動装置。
【請求項２】
前記ベース部材には、駆動軸と同数の前記位置センサが設けられる、請求項１記載のモバイル用電磁駆動装置。
【請求項３】
前記位置センサは、駆動軸上に設けられる、請求項１又は２に記載されたモバイル用電磁駆動装置。
【請求項４】
前記位置センサが接続される端子部が、平面基板コイルにおける巻芯部に設けられることを特徴とする請求項１〜３のいずれか１項に記載のモバイル用電磁駆動装置。
【請求項５】
請求項１〜４のいずれか１項に記載されたモバイル用電磁駆動装置を備えた撮像装置。
【請求項６】
請求項１〜４のいずれか１項に記載されたモバイル用電磁駆動装置又は請求項５に記載の撮像装置を備えた携帯電子機器。
【発明の詳細な説明】
【技術分野】
【０００１】
本発明は、モバイル用電磁駆動装置に関するものである。
【背景技術】
【０００２】
携帯情報端末やウエアラブル電子機器などのモバイル機器には、各種の電磁駆動装置が用いられている。特に、様々なモバイル機器にはカメラユニットが搭載されており、そのカメラユニットには、ＡＦ（Autofocus）やＯＩＳ（Optical Image Stabilizer）の駆動を行うレンズ駆動装置が用いられている。
【０００３】
レンズ駆動装置などの電磁駆動装置は、ベース部材に駆動用のコイルが取り付けられ、ベース部材に対して移動自在に支持される可動部材に、マグネットが取り付けられた、ムービングマグネット式の装置が一般に知られている。このような電磁駆動装置は、ベース部材に、駆動用のコイルと、このコイルへの通電を行うための配線部材や端子部材が設けている。また、前述したＡＦやＯＩＳの制御を行うために、可動部材に取り付けられたマグネットの位置を検出する位置センサがベース部材に設けられている（下記特許文献１参照）。
【先行技術文献】
【特許文献】
【０００４】
【特許文献１】特開２０１６−１４７０５号公報
【発明の概要】
【発明が解決しようとする課題】
【０００５】
前述した従来の電磁駆動装置は、ベース部材上に駆動用のコイルと位置センサが設けられ、さらにそれらに通電するための配線がベース部材上に設けられる。このため、ベース部材上での配線構造及び端子構造が複雑になる。モバイル機器に搭載される電磁駆動装置は、省スペース化の高い要求によって、ベース部材の支持面積が小さいので、ベース部材上の狭いスペースに、複雑な配線構造や端子構造を設けることが困難な問題があった。
【０００６】
本発明は、このような事情に対処することを課題としており、モバイル用の電磁駆動装置において、ベース部材に複雑な配線構造や端子構造を設けること無く、駆動用のコイルと位置センサをベース部材に配備できるようにすることを課題としている。
【課題を解決するための手段】
【０００７】
このような課題を解決するために、本発明によるモバイル用電磁駆動装置は、以下の構成を具備するものである。
【０００８】
モバイル機器用の電磁駆動装置であって、ベース部材と、該ベース部材に取り付けられる駆動用のコイルと、マグネットが取り付けられ、前記ベース部材に移動自在に支持される可動部材と、前記ベース部材に設けられ、前記マグネットの位置を検出する位置センサとを備え、前記コイルは、多層の絶縁層に巻線を平面設置した平面基板コイルであり、前記絶縁層の一部に前記位置センサが接続される配線と端子部を備えていることを特徴とするモバイル用電磁駆動装置。
【図面の簡単な説明】
【０００９】
【図１】本発明の実施形態に係るモバイル用電磁駆動装置（レンズ駆動装置）の構成例を示した説明図（分解斜視図）である。
【図２】本発明の実施形態に係るモバイル用電磁駆動装置（レンズ駆動装置）の構成例を示した説明図（平面図）である。
【図３】（ａ）が図２におけるＡ１−Ａ１断面図、（ｂ）が図２におけるＡ２−Ａ２断面図である。
【図４】ベース部材に平面基板コイルを実装した状態の平面図である。
【図５】図４の部分平面図である。
【図６】（ａ）が図５におけるＲ−Ｒ図であり、（ｂ）が図５におけるＳ−Ｓ断面図であり、（ｃ）が図５におけるＵ−Ｕ断面図である。
【図７】図５におけるＺ−Ｚ断面図である。
【図８】ベース部材に平面基板コイルを実装した状態の他の実施形態のへ面図である。
【図９】図８の部分平面図である。
【図１０】（ａ）が図９におけるＰ−Ｐ断面図であり、（ｂ）が図９におけるＱ−Ｑ断面図である。
【図１１】（ａ）が図９におけるＴ−Ｔ断面図であり、（ｂ）が図９におけるＶ−Ｖ断面図であり、（ｃ）がベース部材における位置センサ保持部を示す斜視図である。
【図１２】図９におけるＡ３−Ａ３断面図である。
【図１３】位置センサの取り付け状態を示した断面図である（（ａ）が平面基板コイルに貫通孔を設けた例、（ｂ）が平面基板コイルに凹部を設けた例、（ｃ）が平面基板コイルの上に取り付けた例）。
【図１４】（ａ）がモバイル用電磁駆動装置（レンズ駆動装置）を搭載した撮像装置を示した説明図、（ｂ）がモバイル用電磁駆動装置（レンズ駆動装置）を搭載した携帯電子機器（携帯情報端末）を示した説明図である。
【発明を実施するための形態】
【００１０】
以下、図面を参照して本発明の実施形態を説明する。以下の説明で、異なる図における同一符号は同一機能の部位を示しており、各図における重複説明は適宜省略する。
【００１１】
ここでは、モバイル用電磁駆動装置の一例として、レンズ駆動装置を例にして説明するが、本発明は、これに限らず、同様のベース部材に駆動用のコイルを取り付けるものであれば、各種の電磁駆動装置に適用することができる。なお、図示のＸ−Ｙ方向は光軸に直交する方向を指しており、Ｚ方向が図示省略したレンズの光軸方向を指している。
【００１２】
図１〜図４に示すように、モバイル用電磁駆動装置の一例であるレンズ駆動装置１は、先ず基本構成として、ベース部材２と、ベース部材２に移動自在に支持される可動部材３を備えている。そして、ベース部材２には、平面基板コイル４が取り付けられており、可動部材３には、マグネット５が取り付けられている。平面基板コイル４は、駆動用のコイル４Ａを具備しており、このコイル４Ａとマグネット５によって、レンズ駆動装置１の駆動部が構成されている。図示の例では、可動部材３は、平面視矩形の外縁を有する筒状部材であり、その角部内側にマグネット５を保持するマグネット保持部３Ａを備えている。
【００１３】
ベース部材２は、開口２Ａを有しており、開口２Ａの周囲にＸ−Ｙ平面に沿った支持面２Ｂが設けられ、支持面２Ｂに平面基板コイル４が支持されている。図示の例では、ベース部材２は、平面視が矩形状の外縁を備えている。
【００１４】
可動部材３は、支持ワイヤ６を介してベース部材２に支持されている。支持ワイヤ６は、図示Ｚ方向（光軸方向）に沿って延設されており、その一端がベース部材２側（ベース部材２に設けられている配線部材２０）に固定され、他端が可動部材３側（可動部材３に固定されている上板バネ９Ｂ．９Ｃ）に固定されている。可動部材３は、支持ワイヤ６によって吊り下げ支持されており、支持ワイヤ６の撓みによってＸ−Ｙ方向（光軸と交差する方向）に移動可能に支持されている。図示の例では、支持ワイヤ６は、複数本（４本）設けられ、平面視矩形の外縁を有するベース部材２の四隅に、支持ワイヤ６の一端が固定され、その外側に可動部材５の可動範囲を制限するストッパ２Ｃが設けられている。
【００１５】
可動部材３には、レンズ枠７が移動自在に支持されている。レンズ枠７は、図示省略したレンズバレルが取り付けられるねじ部７Ａを備えた円筒部材であり、外周に設けられるコイル保持部７Ｂにフォーカスコイル８が巻回されている。レンズ枠７は、筒状部材である可動部材３の内側に配置され、可動部材３に取り付けられたマグネット５とフォーカスコイル８との間に磁気ギャップが形成されている。
【００１６】
レンズ枠７は、板バネ９によって光軸方向（図示Ｚ方向）に沿って移動可能に支持されている。板バネ９は、レンズ枠７の下端部７Ｃと可動部材３の下端部３Ｂとを弾性的に連結する下板バネ９Ａと、レンズ枠７の上端部７Ｄと可動部材３の上端部３Ｃとを弾性的に連結する上板バネ９Ｂ，９Ｃを備えている。上板バネ９Ｂ，９Ｃは、左右対称の２部材によって構成されている。
【００１７】
平面基板コイル４は、多層の絶縁層を有し、駆動用のコイル４Ａを平面配置したものである。コイル４Ａは、一つの絶縁層上に平面的に巻線を巻回したものであってもよいし、多層の絶縁層に多段に巻線を巻回したものであってもよい。なお、 本実施の形態における平面基板コイル４は、絶縁層として樹脂を用いているが、他の実施の形態ではこれに限らずフィルム材などが用いられてもよい。
【００１８】
矩形外縁を有するベース部材２に支持される平面基板コイル４は、図４に示すように、コイル４Ａがベース部材２の四隅に位置するように配置されており、隣り合うコイル４Ａの直線部分の向きが互いに交差するように配置されている。４個のコイル４Ａは、可動部材３に取り付けられている４個のマグネット５にそれぞれ対向して配備されている。
【００１９】
図４に示す例では、 ４つのコイル４Ａによって、光軸に垂直な２方向に可動枠３を駆動させることができる。すなわち、本実施の形態の駆動部は、駆動軸Ｄａが２軸となっている。また、駆動軸Ｄａとは、推力発生源の中心を通り、駆動用のコイル４Ａに通電したときに可動枠３が移動する方向によって示される軸のことである。なお、コイルとマグネットとが１つの場合、駆動軸Ｄａは推力発生源の中心を通るが、複数のコイルまたはマグネットが同一駆動軸のために用いられている場合には、その合力の方向が駆動軸Ｄａになる。
【００２０】
平面基板コイル４には、図４に示すように、位置センサ１０が実装されている。位置センサ１０は、可動部材３に取り付けられるマグネット５の磁界変化を検出して可動部材３の移動位置を検出するものであり、ホール素子などが用いられる。位置センサ１０は、４つのマグネット５のうちの２つに対向するように、ベース部材２の角部に対応する位置に配置される。図示の例では、２つの位置センサ１０が、隣り合う２つのコイル４Ａの巻芯部に、互いの向きが交差するように配置されている。
【００２１】
平面基板コイル４は、コイル４Ａから引き出された引き出し配線１１，１２を備えている。引き出し配線１１，１２のうち、一方の引き出し配線１１が入力端子部１３に接続され、他方の引き出し配線１２が平行配置される相互のコイル４Ａを直列に接続している。このように、マグネット５は、可動部材を駆動させ、かつ位置検出用としても用いられている。そして、２つの位置センサ１０のそれぞれは、駆動部の駆動軸上に配置されている。 
なお、他の実施の形態では、位置検出用の専用マグネットが設けられてもよいし、または駆動とは別の目的で設けられるマグネットが位置検出用に用いられてもよい。
【００２２】
また、平面基板コイル４は、絶縁層の一部に、位置センサ１０が接続される配線１４と端子部１５を備えている。図４に示す例では、端子部１５は、平面基板コイル４におけるコイル４Ａの巻芯部に設けられている。端子部１５に接続される配線１４は、平面基板コイル４の絶縁層上に延設されて、平面基板コイル４の周縁部に設けた凹状の接続ランド１６に接続されている。配線１４は、コイル４Ａが配置される層とは異なる絶縁層に配置することで、コイル４Ａに対して平面的に重なる位置に配置することができる。
【００２３】
これに対して、ベース部材２には、配線部材２０が設けられている。配線部材２０は、例えば、リードフレームであり、樹脂製のベース部材２に一体成形（インサート成形）されている。配線部材２０の端部２０Ａは、ベース部材２の外周部に引き出されており、回路基板との接続端子になっている。配線部材２０は、リードフレームに限定されるものではなく、各種の配線構造を採用することができ、例えば、ＭＩＤ（Molded Interconnect Device, 成形回路部品）技術によって形成されたものなどであってもよい。
【００２４】
ベース部材２には、配線部材２０と平面基板コイル４とを接続するために、端子突起２０Ｐが設けられている。端子突起２０Ｐは、リードフレームなどの配線部材２０の一部で構成することもできるし、配線部材２０に接続されるピン状部材を支持面２Ｂに突出させて形成することもできる。また、端子突起２０Ｐは、ベース部材２自体に突起部を設けて、それと一体にＭＩＤ技術などで形成することもできる。
【００２５】
端子突起２０Ｐは、ベース部材２の表面（例えば、支持面２Ｂ）から突出するように設けられ、端子突起２０Ｐには平面基板コイル４が側面接続される。これにより、平面基板コイル４と支持面２Ｂとの間には半田が入り込まない接続構造になる。
【００２６】
図５〜図７によって、端子突起２０Ｐと平面基板コイル４との接続構造を説明する。端子突起２０Ｐは、その一部が、平面基板コイル４の周縁部に設けられる凹状の接続ランド１６内に配置されている。また、端子突起２０Ｐは、他の一部が、平面基板コイル４の入力端子部１３を貫通するように配置されている。
【００２７】
入力端子部１３或いは接続ランド１６内に配置される端子突起２０Ｐは、図６及び図７に示すように、半田２１によって、平面基板コイル４の表面側から入力端子部１３或いは接続ランド１６に接続される。入力端子部１３の孔部或いは接続ランド１６の凹部に入る半田２１は、端子突起２０Ｐの側面と平面基板コイル４の側面と相互に電気的に接続する。
【００２８】
これにより、平面基板コイル４の底面は、ベース部材２の支持面２Ｂ上に隙間無く支持されることになり、平面基板コイル４と支持面２Ｂとの間に半田が介在する接続構造と比較すると、薄厚に構成することができる。また、平面基板コイル４の表面側から、端子突起２０Ｐを視認しながら半田付け作業を行うことができるので、作業性が良く且つ確実な接続が可能になる。
【００２９】
また、平面基板コイル４に配線（引き出し配線１１，１２や配線１４）や端子部１５を設けることで、ベース部材２における複雑な配線構造や端子構造を省くことができる。これにより、ベース部材２を小型化することができ、小型化されたベース部材２にスペース効率よくコイル４Ａと位置センサ１０を配置することができる。平面基板コイル４における配線は、多層の絶縁層を利用して多段に配線することができるので、狭い表面積に対して高密度の配線が可能になる。これによって、レンズ駆動装置１の更なる小型化が可能になる。
【００３０】
図８〜図１３によって、位置センサ１０の接続構造の他の例を説明する。この例では、平面基板コイル４は、その周縁部に端子部１７を備えており、位置センサ１０が接続される端子部１５と端子部１７が配線１４によって接続されている。そして、端子部１７がフレキシブルプリント回路基板（FPC：Flexible Printed Circuits）２２に接続されている。また、平面基板コイル４の端子部１７とＦＰＣ２２とを半田２１で接続するために、ベース部材２には、半田逃がしの凹部２Ｄが形成されている。
【００３１】
ベース部材２の支持面２Ｂには、平面基板コイル４の端子部１５と位置センサ１０とを半田２１で接続するために、半田逃がしの凹部２Ｅが形成されている。この凹部２Ｅには中央に位置センサ１０自体を支持するための支持突起２Ｆが設けられている。位置センサ１０を端子部１５に接続するには、平面基板コイル４におけるコイル４Ａの巻芯部に形成された開口に位置センサ１０を配置し、ベース部材２の支持突起２Ｆ上に位置センサ１０を支持した状態で、端子部１５に半田２１で接続する。
【００３２】
位置センサ１０の組み付けは、位置センサ１０を平面基板コイル４に予め実装した状態で、平面基板コイル４をベース部材２の支持面２Ｂに支持することができる。平面基板コイル４への位置センサ１０の実装状態は、図１３（ａ）〜（ｃ）に示すような実装例が可能である。図１３の（ａ）に示す例は、平面基板コイル４に貫通孔を設けて、その中に位置センサ１０を収め、平面基板コイル４の背面側で接続部１５と位置センサ１０の端子を半田２１で接続している。図１３の（ｂ）に示す例は、平面基板コイル４の厚さ方向に段部を形成し、位置センサ１０を半落としの状態で、接続部１５と位置センサ１０の端子を半田２１で接続している。図１３（ｃ）に示す例は、平面基板コイル４の表面に接続部１５を設けて、平面基板コイル４上に位置センサ１０を上載せしている。
なお、 その他の例では、端子部１５は、コイル４Ａの巻芯部以外に設けられてもよい。すわなち、位置センサ１０は、平面視においてコイル４Ａとは重ならない位置に配置されてもよい。そして、端子部１５は、このように配置される位置センサ１０の位置に合わせて設けられる。
【００３３】
以上説明したように、本発明の実施形態に係るモバイル用電磁駆動装置（レンズ駆動装置１）は、ベース部材２に支持される平面基板コイル４の絶縁層の一部に位置センサ１０が接続される配線１４と端子部１５を設けているので、ベース部材２に複雑な配線構造や端子構造を設けること無く、駆動用のコイル４Ａと位置センサ１０をベース部材２に配備することができ、ベース部材２の省スペース化が可能なる。また、平面基板コイル４に位置センサ１０の接続部１５を設けることで、位置センサ１０を組み付ける際の作業性を高めることができ、更には、平面基板コイル４に予め位置センサ１０を実装した状態で、ベース部材２に組み付けることができるので、組み立ての作業性を向上することができる。
【００３４】
このような、モバイル用電磁駆動装置（レンズ駆動装置１）は、図１４（ａ）に示すような小型の撮像装置１００に装備することができ、また、図１４（ｂ）に示すような携帯電子機器（携帯情報端末）２００のカメラユニットなどに組み込むことができる。これらに組み込まれるモバイル用電磁駆動装置は、組み込まれる機器内での占有スペースを省スペース化できるので、撮像装置１００や携帯電子機器２００の小型化・薄型化に貢献することができる。
【００３５】
また、撮像装置１００だけに限らず、モバイル用電磁駆動装置は、ＶＣＭ（VCM：Voice Coil Motor）を用いる振動モータ（振動アクチュエータ）などが装備することができる。さらに、この振動モータは、携帯電子機器（携帯情報端末）２００のバイブレーションユニットに組み込むことができる。
【００３６】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００３７】
１：レンズ駆動装置，
２：ベース部材，２Ａ：開口，２Ｂ：支持面，
２Ｃ：ストッパ，２Ｄ，２Ｅ：凹部，２Ｆ：支持突起，
３：可動部材，３Ａ：マグネット保持部，３Ｂ：下端部，３Ｃ：上端部，
４：平面基板コイル，４Ａ：コイル，５：マグネット，６：支持ワイヤ，
７：レンズ枠，
７Ａ：ねじ部，７Ｂ：コイル保持部，７Ｃ：下端部，７Ｄ：上端部，
８：フォーカスコイル，９：板バネ，９Ａ：下板バネ，９Ｂ，９Ｃ：上板バネ，
１０：位置センサ，１１，１２：引き出し配線，１３：入力端子部，
１４：配線，１５，１７：端子部，１６：接続ランド，
２０：配線部材，２０Ａ：端部，２０Ｐ：端子突起，２１：半田，
２２：フレキシブルプリント回路基板（ＦＰＣ）
１００：撮像装置，２００：携帯電子機器（携帯情報端末）
【図１】
2018173581.tif 000003
【図２】
2018173581.tif 000004
【図３】
2018173581.tif 000005
【図４】
2018173581.tif 000006
【図５】
2018173581.tif 000007
【図６】
2018173581.tif 000008
【図７】
2018173581.tif 000009
【図８】
2018173581.tif 000010
【図９】
2018173581.tif 000011
【図１０】
2018173581.tif 000012
【図１１】
2018173581.tif 000013
【図１２】
2018173581.tif 000014
【図１３】
2018173581.tif 000015
【図１４】
2018173581.tif 000016